(57)【要約】【課題】  キースイッチの数が多く細長い製品形状のリモコンにおいて、強度アップ、剛性アップを実現するとともに、外観品質を向上させる、リモコンの外装部材、および、その構成を提供する。【解決手段】  リモコンの外装部材において、外装の両側面が上カバー/下カバー以外の別部品で構成され、別部品とはアルミ押出し材に限らず、プラスチック押出し材、金属プレス品、プラスチック成型品等、いずれでも可である。製品全長とほぼ同じ長さの別部品を設け、長手方向と直交する断面が略コの字形状を成し、両先端にフックが形成される。略くの字形状、略Ｃの字形状でも可である。長尺で上記断面を有することから、別部品は押出し加工に適した形状となっており、アルミ押出し材で構成する。両フックは上カバー/下カバーに設けられた溝に嵌合し、長手方向にスライドさせて組み立てる。【選択図】  図１１
2008010362.tif 000002
【特許請求の範囲】
【請求項１】
リモコンの外装部材において、対向する2つの側面各々の一部あるいは全部が上カバー／下カバー以外の別部品で構成され、該別部品は、該リモコン側面の長さと略同一長さの長尺形状であり、長手方向と直交する断面が長手方向全域に渡って略コの字形状あるいは略くの字形状あるいは略Ｃの字形状を成すとともに、両先端に内向きのフックが形成された、ことを特徴とするリモコンの外装部材。
【請求項２】
リモコンの外装部材において、前記両フックは、前記上カバー／下カバーに設けられた溝に嵌合するとともに、前記別部品は、長手方向にスライドさせて前記上カバー／下カバーの該溝に取り付けた、ことを特徴とする請求項１に記載のリモコンの外装部材。
【請求項３】
リモコンの外装部材において、前記別部品は、アルミ押出し材、あるいは、プラスチック押出し材から形成した、ことを特徴とする請求項１、および、請求項２に記載のリモコンの外装部材。
【請求項４】
リモコンの外装部材において、前記上カバーと前記下カバーは、前記別部品で覆われた内部空間で結合された、ことを特徴とする請求項１に記載のリモコンの外装部材。
【発明の詳細な説明】
【技術分野】
【０００１】
本発明は、画像表示装置・ＡＶ機器等をはじめとする各種電子機器の遠隔操作に使用されるリモコンにおける外装部材、および、その構成に関する技術である。
【背景技術】
【０００２】
画像表示装置・ＡＶ機器等、なかでもデジタルテレビに付属する、従来のリモコンの一般的な例を図１５、および、図１６に示す。図１５はリモコン１全体を斜め前上方から見た外観斜視図である。図１６はリモコン１全体を斜め前上方から見た分解斜視図である。２は上カバー、３は下カバーである。上カバー２、下カバー３ともに、主にプラスチック成型品により構成される。上カバー２には、各キースイッチ５を外部に露出させる開口２２が複数個設けられる。４はラバーシートであり、キースイッチ５が一体で形成されている。６は電気接点（不図示）が載置された回路基板であり、ラバーシート４が上から被せられる。電気接点は、各キースイッチ５に対応する位置にキースイッチ５の数だけ載置される。７は蓋であり、使用頻度の少ないキースイッチ５ｄは普段この中に隠され、必要時のみ蓋７を前方にスライドさせ、キースイッチ５ｄを操作する。８は赤外線発光素子である。上カバー２と下カバー３は、これらの構成要素を非図示の電池とともに内包し、ネジ、あるいは、一体に設けられた弾性爪等により結合される（不図示）。
【特許文献１】特開２００５−２５９５６３号公報
【発明の開示】
【発明が解決しようとする課題】
【０００３】
近年の画像表示装置・ＡＶ機器等、なかでもデジタルテレビは多機能化、高機能化が進み、リモコン１のキースイッチ５の数が増えている。上記図１５、図１６に示す従来例では、キースイッチ５の数は６２個にのぼる。
【０００４】
一方リモコン１は、ユーザーがストレスを感じることなく掌の上で操作できる必要があり、自ずと幅と厚さが制限される。キースイッチ５の数が増えたことに対しては製品形状を前後方向に伸ばすことで対応しており、図１５からも明らかなように、リモコン１の全体形状が細長いものとなっている。このため、旧来の製品と比較して強度的に不利となっており、強度アップ、剛性アップが求められていた。
【０００５】
さらに、キースイッチの数が増えることによって、上カバー２に設けられる開口２２の数が増えるとともに、開口２２の占める面積の割合が大きくなっている。このような、いわゆる穴だらけの形状の上カバー２を射出成型する際には、寸法が安定せず、特に長手方向に反りが発生しやすくなっている。このため、外観品質の向上が求められていた。
【０００６】
これらの課題に対して、特開２００５−２５９５６３号公報に示されるごとく、下カバーをアルミダイキャスト品で構成したリモコンの構成も提案されているが、ダイキャスト品であるが故に部品製造上のコストアップとなっており、限られたジャンルのリモコンのみに採用されていた。
【０００７】
以上のような状況に鑑み、キースイッチの数が多く細長い製品形状のリモコンにおいて、強度アップ、剛性アップを実現するとともに、外観品質を向上させる、リモコンの外装部材、および、その構成を提供する。
【課題を解決するための手段】
【０００８】
上記課題を解決するために、本発明は、リモコンの外装部材において両側面各々の一部あるいは全部を上カバー／下カバー以外の別部品で構成し、別部品をリモコン側面の長さと略同一長さの長尺形状とし、長手方向と直交する断面が長手方向全域に渡って略コの字形状あるいは略くの字形状あるいは略Ｃの字形状を成し、両先端に内向きのフックを形成したことを特徴とする。さらに、本発明は、両フックを上カバー／下カバーに設けられた溝に嵌合させ、別部品を長手方向にスライドさせて上カバー／下カバーの溝に取り付けることを特徴とする。さらに、本発明は、別部品をアルミ押出し材、あるいは、プラスチック押出し材で形成したことを特徴とする。さらに、本発明は、上カバーと下カバーを別部品で覆われた内部空間で結合させたことを特徴とする。
【発明の効果】
【０００９】
以上述べたように本発明は、リモコンの外装部材において両側面各々の一部あるいは全部を上カバー／下カバー以外の別部品で構成し、別部品をリモコン側面の長さと略同一長さの長尺形状とし、長手方向と直交する断面が長手方向全域に渡って略コの字形状等を成し、両先端に内向きのフックを形成し、両フックを上カバー／下カバーに設けられた溝に嵌合させ、別部品を長手方向にスライドさせて上カバー／下カバーの溝に取り付けたことにより、次のような効果がある。
【００１０】
（１）両側面を断面が略コの字形状等の別部材とし、上カバー／下カバーをくわえ込む構成としたので、強度・剛性がアップするという効果がある。
【００１１】
（２）特に、別部材をアルミ押出し材、あるいは、プラスチック押出し材で形成した場合は、リモコンが床に落下した時の耐衝撃性がアップするという効果がある。
【００１２】
（３）別部材が、上カバーに生じた反りを組立後に矯正し、外観品質が向上するという効果がある。特に、別部材をアルミ押出し材、あるいは、プラスチック押出し材で形成した場合は、真直度が良好なため、いっそう外観品質が向上するという効果がある。
【００１３】
（４）別部材は上カバー／下カバーの溝にスライドさせて取り付けられ、ネジ止めせず歪みを生じないので、外観品質が向上するという効果がある。
【００１４】
（５）上カバーと下カバーを別部材で覆われた内部空間で結合させたので、別部材が上カバー／下カバーのパーティングを覆い隠すとともに、両者を固定するネジ等を覆い隠すので、外観品質が向上するという効果がある。
【発明を実施するための最良の形態】
【００１５】
本発明によるリモコンの外装部材、および、その構成の実施形態を以下に示す図１から図１４に基づき説明する。
【００１６】
図１は、本発明の実施例を示し、リモコン１全体を斜め後上方から見た外観斜視図である。図２は、同様にリモコン１全体を斜め前下方から見た外観斜視図である。図３は、リモコン１を構成要素毎に別けて斜め後上方から見た分解斜視図である。図４は、同様にリモコン１全体を斜め前下方から見た分解斜視図である。２は外装部材である上カバー、３は外装部材である下カバーである。４はラバーシートであり、キースイッチ５ａ、５ｂ、５ｃ等が一体で形成されている。６は電気接点（非図示）が載置された回路基板であり、ラバーシート４が上から被せられる。電気接点は、各キースイッチに対応する位置にキースイッチの数だけ載置される。７は蓋であり、上カバー２に勘合し取り付けられる。使用頻度の少ないキースイッチ５ｄ等は普段蓋７の中に隠され、必要時のみ蓋７を前方にスライドさせ、キースイッチ５ｄ等を操作する。８は赤外線発光素子であり、回路基板６の前方に載置される。９ａ、９ｂは電池であり、下カバーの収納部１０ａ、１０ｂに収められる。１１は蓋であり、下カバー３に勘合し取り付けられ、電池９ａ、９ｂの交換時に後方にスライドさせ取り外す。
【００１７】
１２、１３は、リモコン１の左右側面各々の一部を成す、上カバー２／下カバー３以外の外装部材としての別部材であり、本発明の肝要となるものである。１２は左カバー、１３は右カバーであり、双方が対象形状であるため、左カバー１２のみで説明を行うものとする。図５は、左カバー１２を斜め後上方から見た外観斜視図であり、図６は、一部拡大図である。図７は、同様に左カバー１２を斜め前下方から見た外観斜視図である。
【００１８】
図１から図７に示すように、左カバー１２／右カバー１３はリモコン１の側面の長さと略同一長さの長尺形状である。
【００１９】
図５、図６、図７に示すように、また、後述する後面図である図１１に示すように、左カバー１２／右カバー１３は、長手方向と直交する断面が長手方向全域に渡って略コの字形状を成す。本実施例では、デザイン上の理由から略コの字形状が与えられたが、これが略くの字形、あるいは、略Ｃの字形状であってもなんら差し支えなく、本発明から得られる効果は何ら変わるものではない。さらに、左カバー１２／右カバー１３には、両先端に内向きのフック１２ａ、１２ｂ、および、１３ａ、１３ｂが形成される。
【００２０】
上記の説明から左カバー１２／右カバー１３は、長尺で上記断面を有することから、押出し加工に適した形状となっており、本実施例ではアルミ押出し材、あるいは、プラスチック押出し材から形成している。もちろん、その他の材料・加工方法であっても何ら差し支えなく、本発明から得られる効果は何ら変わるものではない。
【００２１】
図８は、リモコン１から左カバー１２／右カバー１３、および、蓋７、蓋１１、および、後述する後カバー１７を取り外し、斜め後上方から見た外観斜視図であり、図９は、一部拡大図である。図１０は、同様にリモコン１から左カバー１２／右カバー１３、および、蓋７、蓋１１、および、後述する後カバー１７を取り外し、斜め前下方から見た外観斜視図である。図１１は、リモコン１を図９の矢印Ａ方向から見た後面図である。図８、図９、図１０、図１１に示すように、上カバー２と下カバー３には、側面に溝１４ａ、１４ｂ、および、１５ａ、１５ｂが形成される。
【００２２】
図１２、図１３は、左カバー１２／右カバー１３を、リモコン１の長手方向（図１２、図１３の矢印Ｂ方向）にスライドさせて、上カバー２／下カバー３の溝１４ａ、１４ｂ、および、１５ａ、１５ｂに取り付けられる様子を示したものである。図１２は斜め後上方から見た外観斜視図であり、図１３は斜め前下方から見た外観斜視図である。
【００２３】
図１１、および、図１２、図１３によれば、左カバー１２に形成されたフック１２ａが上カバー２の溝１４ａに、フック１２ｂが下カバー３の溝１５ａに勘合し１２ｂ取り付けられ、右カバー１３に形成されたフック１３ａが上カバー２の溝１４ｂに、フック１３ｂが下カバー３の溝１５ｂに勘合し取り付けられ、左カバー１２／右カバー１３が上カバー２／下カバー３に取り付けられる。
【００２４】
以上説明したように本発明は、リモコン１の両側面を断面が略コの字形状の別部材である左カバー１２／右カバー１３とし、長手方向全域に渡って上カバー２／下カバー３をくわえ込む構成としたことにより、強度・剛性がアップするという効果がある。実際は、左カバー１２／右カバー１３、および、上カバー２／下カバー３の該当寸法を締り嵌めに近い勘合寸法とすることでリモコン１全体を剛体に近づけることができる。
【００２５】
なお、本実施例ではリモコン１の長手方向両端は、前カバー１６と後カバー１７で構成される。前カバー１６と後カバー１７は、左カバー１２／右カバー１３を取り付けた後の抜け防止の役目を担う。抜け防止はその他の手段で実施しても構わず、その場合は前カバー１６と後カバー１７は必要なくなるが、本発明から得られる効果は何ら変わるものではない。本実施例では、左カバー１２／右カバー１３が取り付けられた後で、前カバー１６と後カバー１７は不図示の方法で上カバー２／下カバー３に取り付けられる。
【００２６】
また、本実施例では、上カバー２と下カバー３は、左カバー１２、右カバー１３で覆われた内部空間で結合される。図１４は、リモコン１のうち上カバー２と下カバー３のみを取り出し斜め前下方から見た分解斜視図である。上カバー２には、下穴１８が複数個形成され、下カバー３には、下穴１８に対応する位置に取付部１９が複数個形成される。そして、複数個のネジ２０が取付部１９を介して下穴１８に螺止され、上カバー２は下カバー３に結合される。本実施例の結合手段はネジ２０によるものであるが、もちろん、上カバー２／下カバー３に一体に設けられた弾性爪等によるその他の結合手段であっても何ら差し支えなく、本発明から得られる効果は何ら変わるものではない。本実施例の結合手段は、左カバー１２／右カバー１３を上カバー２／下カバー３に取り付けるまでの工程の間に、上カバー２／下カバー３とその中に実装されるラバーシート３、回路基板４等の位置関係を保持するための結合手段である。リモコン１全体の強度・剛性は前述のように、左カバー１２／右カバー１３が上カバー２／下カバー３をくわえ込むことで確保しているので、ここで言う結合手段はリモコン１全体の強度・剛性に大きく寄与しているわけではない。
【００２７】
以上が本発明のリモコンにおける外装部材、および、その構成に関する技術の説明である。
【００２８】
［産業上の利用可能性］
本発明は、画像表示装置・ＡＶ機器等をはじめとする各種電子機器の遠隔操作に使用されるリモコンに利用することが可能である。
【図面の簡単な説明】
【００２９】
【図１】本発明の実施例のリモコン全体を斜め後上方から見た外観斜視図である。
【図２】本発明の実施例のリモコン全体を斜め前下方から見た外観斜視図である。
【図３】本発明の実施例のリモコンを構成要素毎に別けて斜め後上方から見た分解斜視図である。
【図４】本発明の実施例のリモコンを構成要素毎に別けて斜め前下方から見た分解斜視図である。
【図５】本発明の実施例のリモコンの左カバーを斜め後上方から見た外観斜視図である。
【図６】本発明の実施例のリモコンの左カバーを斜め後上方から見た外観斜視図の一部拡大図である。
【図７】本発明の実施例のリモコンの左カバーを斜め前下方から見た外観斜視図である。
【図８】本発明の実施例のリモコンから左カバー／右カバー、蓋２種類、後カバーを取り外し、斜め後上方から見た外観斜視図である。
【図９】本発明の実施例のリモコンから左カバー／右カバー、蓋２種類、後カバーを取り外し、斜め後上方から見た外観斜視図の一部拡大図である。
【図１０】本発明の実施例のリモコンから左カバー／右カバー、蓋２種類、後カバーを取り外し、斜め前下方から見た外観斜視図である。
【図１１】本発明の実施例のリモコンを図８の矢印Ａ方向から見た後面図である。
【図１２】左カバー／右カバーを、リモコンの長手方向にスライドさせて、上カバー／下カバーの溝に取り付けられる様子を示した、斜め後上方から見た外観斜視図である。
【図１３】左カバー／右カバーを、リモコンの長手方向にスライドさせて、上カバー／下カバーの溝に取り付けられる様子を示した、斜め前下方から見た外観斜視図である。
【図１４】本発明の実施例のリモコンのうち上カバーと下カバーのみを取り出し斜め前下方から見た分解斜視図である。
【図１５】従来のリモコンの一般的な例を示すリモコン全体を斜め前上方から見た外観斜視図である。
【図１６】従来のリモコンの一般的な例を示すリモコン全体を斜め前上方から見た分解斜視図である。
【符号の説明】
【００３０】
１  リモコン
２  上カバー
３  下カバー
４  ラバーシート
５ａ、５ｂ、５ｃ、５ｄ  キースイッチ
６  回路基板
１２  左カバー
１２ａ、１２ｂ  フック
１３  右カバー
１３ａ、１３ｂ  フック
１４ａ、１４ｂ  溝
１５ａ、１５ｂ  溝
【図１】
2008010362.tif 000003
【図２】
2008010362.tif 000004
【図３】
2008010362.tif 000005
【図４】
2008010362.tif 000006
【図５】
2008010362.tif 000007
【図６】
2008010362.tif 000008
【図７】
2008010362.tif 000009
【図８】
2008010362.tif 000010
【図９】
2008010362.tif 000011
【図１０】
2008010362.tif 000012
【図１１】
2008010362.tif 000013
【図１２】
2008010362.tif 000014
【図１３】
2008010362.tif 000015
【図１４】
2008010362.tif 000016
【図１５】
2008010362.tif 000017
【図１６】
2008010362.tif 000018